(57)【特許請求の範囲】
【請求項１】
略水平方向に回転軸を有する回転ドラムと、前記回転ドラムを内包し開口部を有する略円筒状の外槽本体と、前記開口部を覆う円形の外槽前板と、前記外槽本体と前記外槽前板とをパッキンを介して固定するリング状のバンドとを備え、前記外槽本体は、前記開口部の端部に外径方向に形設された第１のカール形状部を有し、前記外槽前板は、外周端部に第２のカール形状部を有するとともに前記第２のカール形状部の内径側に平坦部を有し、前記平坦部の内径側に前記外槽本体側へ向かって凹んだ略環状の周縁突出部を前記外槽本体の内壁に近接して設け、前記バンドは、断面をく字状とし、前記第１のカール形状部と前記第２のカール形状部とを外側から巻き込むように取り付けられ、円周方向に締め付けられることで、前記第２のカール形状部が後方と前記外槽前板の中心方向の合成である斜め方向へ押圧されるようにしたドラム式洗濯機。
【請求項２】
外槽前板の周縁突出部の外周面には、周方向に所定の間隔をおいて突起を複数個設け、前記外槽前板を外槽本体に装着したとき、前記突起の先端が前記外槽本体の内壁に当接または近接するようにした請求項１記載のドラム式洗濯機。
【請求項３】
リング状のパッキンは、外槽前板の周縁突出部の外周面および平坦部に当接して設けられ、内径側を厚く、外径側を薄くした請求項１または２に記載のドラム式洗濯機。
【発明の詳細な説明】
【０００１】
【発明の属する技術分野】
本発明は、略水平方向の回転軸を中心に回転自在に配設したドラム内で洗濯物を洗濯、すすぎ、脱水するドラム式洗濯機に関するものである。
【０００２】
【従来の技術】
従来、この種のドラム式洗濯機は図６および図７に示すように構成していた。以下、その構成について説明する。
【０００３】
図６に示すように、回転ドラム１は、外周部に多数の通水孔２を全面に設け、外槽３内に回転自在に配設している。回転ドラム１の回転中心に回転軸４の一端を略水平方向に固定し、回転軸４の他端に従動プーリー５を固定している。第１のモータ６は、回転ドラム１を第１の回転数Ｎ１（たとえば、５３ｒｐｍ）で回転させて、洗濯またはすすぎをするものであり、第２のモータ７は、回転ドラム１を第２の回転数Ｎ２（たとえば、１０００ｒｐｍ）で回転させて脱水する。
【０００４】
これら第１のモータ６および第２のモータ７は、それぞれベルト８、９を介して従動プーリー５に連結している。従動プーリー５は、２種の減速比を有しており、第１のモータ６をベルト８を介して減速比が大きい従動プーリー５ａと連結し、第２のモータ７をベルト９を介して減速比が小さい従動プーリー５ｂと連結している。
【０００５】
外槽３は、図７に示すように、外槽本体３ａと外槽本体３ａの開口部を覆う外槽前板３ｂとで構成し、外槽本体３ａと外槽前板３ｂの周端面相互間にパッキン１０を設け、それらの周端面の外側からく字状のバンド１１により巻き込み、締め付けている。
【０００６】
また、外槽３は、ボデー１２よりばね体１３で揺動可能に吊り下げ、防振ダンパー１４により脱水起動時の振動が低減され、かつ定常脱水時の振動がボデー１２に伝達されないように防振支持するとともに、脱水時の振動を低減する重り１５を設けている。この外槽３の底部側にヒータ１６を設けて外槽３内の洗濯水を加熱し、さらに排水用のホース１７の一端を接続し、ホース１５の他端を排水ポンプ１８に接続して外槽３内の洗濯水を排水するようにしている。
【０００７】
略筒状の蓋パッキング１９は、回転ドラム１の前面開口部に対応する外槽３の開口部とボデー前面開口部との間を連結するもので、外槽側端部を外槽前板３ｂに固着している。ボデー前面開口部に蓋２０を開閉自在に設けている。給水弁２１は外槽３内に水を給水するものである。制御装置２２は、第１のモータ６、第２のモータ７、ヒータ１６、排水ポンプ１８、給水弁２１などの動作を制御し、洗濯、すすぎ、脱水などの一連の行程を逐次制御する。
【０００８】
上記構成において動作を説明すると、蓋２０を開いて回転ドラム１内に洗濯物を投入し、電源スイッチ（図示せず）をオンした後、制御装置２２に設けたスタートスイッチ（図示せず）を操作して運転を開始すると、給水弁２１が動作して給水し、水位検知手段（図示せず）により所定の水位を検知すると給水を停止し、第１のモータ６を駆動する。洗濯行程では、洗濯物に水が含まれるため補給水しながら、回転ドラム１は第１のモータ６によって第１の回転数Ｎ１で回転駆動され、回転ドラム１内の洗濯物は持ち上げられて水面上に落下される。
【０００９】
このとき、ヒータ１６に通電して外槽３内の洗濯水をほぼ一定の温度に制御しながら加熱する。洗濯行程が終了すると、排水ポンプ１８が動作して外槽３内の洗濯水を排水する。すすぎ行程においても洗濯行程と同様の動作を行う。
【００１０】
脱水行程では、回転ドラム１は第２のモータ７によって第２の回転数Ｎ２で回転駆動され、洗濯物は遠心脱水される。このとき、回転ドラム１内の洗濯物の片寄り、すなわちアンバランスが生じると、回転ドラム１、外槽３などの揺動体は振動するが、脱水起動時は防振ダンパー１４により揺動体の振動を減衰し、定常脱水時は防振ダンパー１４の防振機構によりボデー１２に伝達されることはない。
【００１１】
【発明が解決しようとする課題】
このような従来の構成では、図７に示すように、外槽本体３ａと外槽前板３ｂの周端面の外側からく字状のバンド１１を締め付けた際に、外槽前板３ｂは矢印ｂのように外槽本体３ａの外方に凸となり、一点鎖線で示すように、弓状となるため、ｃ部において外槽前板３ｂとパッキン１０との間に空間が発生し、パッキン１０との接触部が減少し、そこから水漏れが発生する原因となっていた。
【００１２】
また、外槽本体３ａと外槽前板３ｂとの周縁面部はパッキン１０を介して、バンド１１で締め付けているだけであるため、組み立て作業時に外槽本体３ａと外槽前板３ｂの径方向の位置合わせが困難であった。また、パッキン１０の取り付け作業性についても、パッキン１０を外槽本体３ａもしくは外槽前板３ｂに乗せるだけの構造であるため、作業性が悪い構造であるという問題を有していた。
【００１３】
このパッキン１０の作業性の問題の解決策として、外槽本体３ａまたは外槽前板３ｂの外周端部を巻き込むように取り付けるようにしたものがある。しかし、この構成では、パッキン１０と外槽本体３ａもしくは外槽前板３ｂの外周端部に嵌め込む作業に時間がかかり、まだ作業性が悪いという問題は解決できないものであった。
【００１４】
本発明は上記従来の課題を解決するもので、外槽本体と外槽前板との嵌合を容易にして作業性を向上するとともに、嵌合部分の水密性を向上することを目的としている。
【００１５】
【課題を解決するための手段】
本発明は上記目的を達成するために、略水平方向に回転軸を有する回転ドラムと、前記回転ドラムを内包し開口部を有する略円筒状の外槽本体と、前記開口部を覆う円形の外槽前板と、前記外槽本体と前記外槽前板とをパッキンを介して固定するリング状のバンドとを備え、前記外槽本体は、前記開口部の端部に外径方向に形設された第１のカール形状部を有し、前記外槽前板は、外周端部に第２のカール形状部を有するとともに前記第２のカール形状部の内径側に平坦部を有し、前記平坦部の内径側に前記外槽本体側へ向かって凹んだ略環状の周縁突出部を前記外槽本体の内壁に近接して設け、前記バンドは、断面をく字状とし、前記第１のカール形状部と前記第２のカール形状部とを外側から巻き込むように取り付けられ、円周方向に締め付けられることで、前記第２のカール形状部が後方と前記外槽前板の中心方向の合成である斜め方向へ押圧されるようにしたものである。
【００１６】
これにより、外槽本体を外槽前板に取り付ける際の作業性、およびパッキンを外槽前板に取り付ける際の作業性を大幅に向上することができ、また、周端面である第２のカール形状部を回転ドラムの中心方向へ押圧する力により、外槽前板は、外槽本体の内側にたわもうとするため、水密性を向上させることができる。
【００１７】
【発明の実施の形態】
本発明の請求項１に記載の発明は、略水平方向に回転軸を有する回転ドラムと、前記回転ドラムを内包し開口部を有する略円筒状の外槽本体と、前記開口部を覆う円形の外槽前板と、前記外槽本体と前記外槽前板とをパッキンを介して固定するリング状のバンドとを備え、前記外槽本体は、前記開口部の端部に外径方向に形設された第１のカール形状部を有し、前記外槽前板は、外周端部に第２のカール形状部を有するとともに前記第２のカール形状部の内径側に平坦部を有し、前記平坦部の内径側に前記外槽本体側へ向かって凹んだ略環状の周縁突出部を前記外槽本体の内壁に近接して設け、前記バンドは、断面をく字状とし、前記第１のカール形状部と前記第２のカール形状部とを外側から巻き込むように取り付けられ、円周方向に締め付けられることで、前記第２のカール形状部が後方と前記外槽前板の中心方向の合成である斜め方向へ押圧されるようにしたものであり、外槽本体の開口部を外槽前板に仮付けしやすく、またパッキンを外槽前板に仮付けする際もパッキンを周縁突出部の外壁に沿って置くだけでよいため、外槽本体と外槽前板との嵌合が容易で、作業性を向上することができる。また、周端面である第２のカール形状部を回転ドラムの中心方向へ押圧する力により、外槽前板は、外槽本体の内側にたわもうとするため、嵌合部分の水密性を向上させることができる。
【００１８】
請求項２に記載の発明は、上記請求項１に記載の発明において、外槽前板の周縁突出部の外周面には、周方向に所定の間隔をおいて突起を複数個設け、前記外槽前板を外槽本体に装着したとき、前記突起の先端が前記外槽本体の内壁に当接または近接するようにしたものであり、これらの突起の高さのみを調整することにより、外槽前板の中心と外槽本体の中心を合わせることができ、それにより外槽前板の中心と回転ドラムの中心とを容易に合わせることができ、外槽前板の開口部に固着した略筒状のパッキング部材の外槽側端部と回転ドラムとが偏心することがなく、回転ドラムの回転により回転ドラムとパッキング部材とがこすれるのを防止することができ、また、パッキング部材の外槽側端部と回転ドラムの隙間を一定に保つことができるため、その隙間から異物が混入するのを防止することができる。
【００１９】
請求項３に記載の発明は、上記請求項１または２に記載の発明において、リング状のパッキンは、外槽前板の周縁突出部の外周面および平坦部に当接して設けられ、内径側を厚く、外径側を薄くしたものであり、組み立て時、パッキンを外槽前板に仮付けする際、パッキンが部分的に起き上がって、ねじれたりすることを防止することができるため、作業性の向上および水密性を向上することができる。
【００２０】
【実施例】
以下、本発明の実施例について、図１から図３を参照しながら説明する。なお、従来例と同じ構成のものは同一符号を付して説明を省略する。
【００２１】
（実施例１）
図１に示すように、外槽２３は、断面が回転軸４を中心とした略真円形状の外槽本体２３ａと外槽本体２３ａの開口部を覆う略円状の外槽前板２３ｂとで構成して回転ドラム１を内包し、回転ドラム１と外槽２３は、回転軸４と直行する方向の形状を回転軸４を中心として略同心円となるように構成し、底部側にヒータ２４を収容する略凹状の加熱体収容室２５を設けている。
【００２２】
この外槽２３は、ボデー１２よりばね体１３で揺動可能に吊り下げ、防振ダンパー１２により脱水起動時の振動が低減され、かつ定常脱水時の振動がボデー１２に伝達されないように防振支持するとともに、脱水時の振動を低減する重り１５を設けている。
【００２３】
外槽本体２３ａの開口部端部には、図２に示すように、外径方向に第１のカール形状部２６を設け、外槽前板２３ｂは、外周端部に第２のカール形状部２７を設け、この第２のカール形状部２７より内径方向に平坦部２８を設け、さらに、平坦部２８の内径側には外槽本体２３ａの内方に向けて略環状に突出した周縁突出部２９を設け、その周縁突出部２９を外包するように、外周円筒面３０および外周平坦部２８に当接するパッキン３１を設けている。パッキン３１は、リング状で、内径側を厚く、外径側を薄くしている。
【００２４】
また、第１のカール形状部２６と第２のカール形状部２７の外側には、断面がく字状のバンド３２を設けており、当接するそれぞれの端面を巻き込み、端面外周を締め付けている。
【００２５】
バンド３２の締め付け部分の構成は図３のようになっている。バンド３２の円周方向の両端には略同一形状のＵ字型切り起こし部３３を設けており、そのＵ字型切り起こし部３３の一端よりボルト３４を通し、他端にナット３５を螺合し、ボルト３４を締め付けることにより、外槽本体２３ａと外槽前板２３ｂを締め付けている。他の構成は従来例と同じである。
【００２６】
上記構成において、外槽２３の組み立て作業の際の動作を図４を参照しながら説明する。
【００２７】
まず、外槽前板２３ｂをベース治具（図示せず）上にセットし、外槽前板２３ｂの周縁突出部２９にパッキン３１をセットする。ついで、ドラム１を外槽前板２３ｂ上にセットし、外槽本体２３ａをその開口部が外槽前板２３ｂの周縁突出部２９に合うようにセットした後、バンド３２を外周に巻き込み、締め付ける。
【００２８】
このとき、外槽前板２３ｂには、外槽本体２３ａの内方に向けて略環状に突出した周縁突出部２９を設けているため、外槽前板２３ｂに外槽本体２３ａをセットする際、外槽前板２３ｂの周縁突出部２９がガイドとなり、開口部を仮付けしやすく、作業性を向上することができる。また、パッキン３１を外槽前板２３ｂに仮付けする際もパッキン３１を周縁突出部２９の外壁に沿って置くだけでよいため、位置合わせの必要がなく、作業性を非常に向上させることができる。
【００２９】
また、バンド３２は、外槽本体２３ａと外槽前板２３ｂの周端面相互間を固定すると同時に、この周端面を回転ドラム１の中心方向へ押圧する力を付与しており、外槽前板２３ｂには、外槽本体２３ａの内方に向けて略環状に突出した周縁突出部２９を設けているため、外槽前板２３ｂは、図２の矢印ａの方向にたわもうとする力が働き、パッキン３１をさらに締め付ける方向に力がかかり、水密性をさらに向上させることができる。
【００３０】
また、リング状のパッキン３１は、内径側を厚く、外径側を薄くしているため、周縁突出部２９を外包するように、外周円筒面３０および外周平坦部２８に当接するように仮付けする際も、パッキン３１の内径側の厚みが突っ張りとなり、パッキン３１が部分的に起き上がってねじれたりすることを防止することができ、確実にパッキン３１をセットすることができるため、作業性の向上および水密性を向上することができる。
【００３１】
なお、本実施例では、外槽前板２３ｂを下に置き、その上に回転ドラム１、外槽本体２３ａを乗せていく手順であるが、逆に、外槽本体２３ａを下に置き、その上から回転ドラム１、外槽前板２３ｂを乗せる手順、または、水平方向にセットし、組み立てていく手順でも上記効果は同様であることはいうまでもない。
【００３２】
（実施例２）
図５（ａ）（ｂ）に示すように、外槽前板２３ｂの周縁突出部２９の外周円筒面３０に、周方向に所定の間隔をおいて、突起３６を複数個設けている。この突起３６は、外槽本体２３ａを外槽前板２３ｂに装着したとき、その先端が外槽本体２３ａの内壁に当接または近接するように構成している。他の構成は上記実施例１と同じである。
【００３３】
上記構成において作用を説明すると、外槽本体２３ａをその開口部が外槽前板２３ｂの周縁突出部２９に合うようにセッした後、バンド３２を外周に巻き込み、締め付けるとき、これらの突起３６の高さのみを調整することにより、外槽前板２３ｂの中心と外槽本体２３ａの中心を合わせることができるため、外槽前板２３ｂの中心と回転ドラム１の中心とを容易に合わせることができる。
【００３４】
このため、外槽前板２３ｂの開口部に固着した略筒状の蓋パッキング１９の外槽前板２３ｂの開口部側端部と回転ドラム１とが偏心することがなく、回転ドラム１の回転により回転ドラム１と蓋パッキング１９とがこすれるのを防止することができる。また、蓋パッキング１９の外槽前板２３ｂの開口部側端部と回転ドラム１の隙間を一定に保つことができるため、その隙間から異物が外槽２３と回転ドラムとの間に混入するのを防止することができる。
【００３５】
【発明の効果】
以上のように本発明の請求項１に記載の発明によれば、略水平方向に回転軸を有する回転ドラムと、前記回転ドラムを内包し開口部を有する略円筒状の外槽本体と、前記開口部を覆う円形の外槽前板と、前記外槽本体と前記外槽前板とをパッキンを介して固定するリング状のバンドとを備え、前記外槽本体は、前記開口部の端部に外径方向に形設された第１のカール形状部を有し、前記外槽前板は、外周端部に第２のカール形状部を有するとともに前記第２のカール形状部の内径側に平坦部を有し、前記平坦部の内径側に前記外槽本体側へ向かって凹んだ略環状の周縁突出部を前記外槽本体の内壁に近接して設け、前記バンドは、断面をく字状とし、前記第１のカール形状部と前記第２のカール形状部とを外側から巻き込むように取り付けられ、円周方向に締め付けられることで、前記第２のカール形状部が後方と前記外槽前板の中心方向の合成である斜め方向へ押圧されるようにしたから、外槽本体の開口部を外槽前板に仮付けしやすく、またパッキンを外槽前板に仮付けする際もパッキンを周縁突出部の外壁に沿って置くだけでよいため、外槽本体と外槽前板との嵌合が容易で、水密性、作業性を向上することができる。また、周端面である第２のカール形状部を回転ドラムの中心方向へ押圧する力により、外槽前板は、外槽本体の内側にたわもうとするため、さらに水密性を向上させることができる。
【００３６】
また、請求項２に記載の発明によれば、外槽前板の周縁突出部の外周面には、周方向に所定の間隔をおいて突起を複数個設け、前記外槽前板を外槽本体に装着したとき、前記突起の先端が前記外槽本体の内壁に当接または近接するようにしたから、これらの突起の高さのみを調整することにより、外槽前板の中心と外槽本体の中心を合わせることができ、それにより外槽前板の中心と回転ドラムの中心とを容易に合わせることができ、外槽前板の開口部に固着した略筒状のパッキング部材の外槽側端部と回転ドラムとが偏心することがなく、回転ドラムの回転により回転ドラムとパッキング部材とがこすれるのを防止することができ、また、パッキング部材の外槽側端部と回転ドラムの隙間を一定に保つことができるため、その隙間から異物が混入するのを防止することができる。
【００３７】
また、請求項３に記載の発明によれば、リング状のパッキンは、外槽前板の周縁突出部の外周面および平坦部に当接して設けられ、内径側を厚く、外径側を薄くしたから、組み立て時、パッキンを外槽前板に仮付けする際、パッキンが部分的に起き上がって、ねじれたりすることを防止することができるため、作業性の向上および水密性を向上することができる。
【図面の簡単な説明】
【図１】  本発明の第１の実施例のドラム式洗濯機の断面図
【図２】  同ドラム式洗濯機の外槽の一部切欠した拡大断面図
【図３】  同ドラム式洗濯機の外槽の一部切欠した拡大斜視図
【図４】  同ドラム式洗濯機の外槽と回転ドラムの一部切欠した分解斜視図
【図５】  （ａ）本発明の第２の実施例のドラム式洗濯機の外槽の一部切欠した断面図
（ｂ）同ドラム式洗濯機の外槽前板の一部切欠した斜視図
【図６】  従来のドラム式洗濯機の断面図
【図７】  同ドラム式洗濯機の外槽の一部切欠した拡大断面図
【符号の説明】
１  回転ドラム
４  回転軸
２３  外槽
２３ａ  外槽本体
２３ｂ  外槽前板
２９  周縁突出部
３１  パッキン
３２  バンド
【図１】
0003893663.tif 000002
【図２】
0003893663.tif 000003
【図３】
0003893663.tif 000004
【図４】
0003893663.tif 000005
【図５】
0003893663.tif 000006
【図６】
0003893663.tif 000007
【図７】
0003893663.tif 000008